(57)【要約】【課題】会員カードを忘れた顧客に対して代替の会員カードの認証を行う代替会員カード認証システムを提供すること。【解決手段】代替会員カード認証システムにおいて、窓口端末３０は、会員から代替会員カードの認証を要請された場合に、正規会員カードの代替となるカードからカードのＩＤ情報を読取り、読取ったカードのＩＤ情報及び該会員の会員情報を上位サーバに送信して、カードを代替会員カードとして認証し、上位サーバ２０は、カードのＩＤ情報と会員情報に基づき、代替会員カードを利用する一時会員の会員情報を作成して登録し、投票端末１０は、代替会員カードから読取った代替会員カードのＩＤ情報と、入力された会員の認証情報を上位サーバに送信し、上位サーバは、代替会員カードのＩＤ情報と会員の認証情報を登録された一時会員の会員情報と照合して、照合結果を投票端末に送信し、投票端末は、照合成立の結果を受信した場合には、投票を受け付ける。【選択図】図１
2019114079.tif 000002
【特許請求の範囲】
【請求項１】
会員カードを読取り投票する投票端末と、前記投票端末と通信して会員カードの会員情報を管理する上位サーバと、前記上位サーバと通信して会員カードを発行する窓口端末と、を有する代替会員カード認証システムにおいて、
前記窓口端末は、前記会員カードとして正規会員カードを携行していない会員から代替会員カードの認証を要請された場合に、前記正規会員カードの代替となるカードからカードのＩＤ情報を読取り、読取った前記カードのＩＤ情報及び該会員の会員情報を前記上位サーバに送信して、前記カードを前記代替会員カードとして認証し、
前記上位サーバは、前記窓口端末から送信された前記カードのＩＤ情報と前記会員情報に基づき、前記代替会員カードを利用する一時会員の会員情報を作成して登録し、
前記投票端末は、前記代替会員カードから読取った前記代替会員カードのＩＤ情報と、入力された会員の認証情報を上位サーバに送信し、
前記上位サーバは、前記投票端末から送信された代替会員カードのＩＤ情報と会員の認証情報を前記登録された一時会員の会員情報と照合して、照合結果を前記投票端末に送信し、
前記投票端末は、前記上位サーバから照合成立の結果を受信した場合には、投票を受け付ける
ことを特徴とする代替会員カード認証システム。
【請求項２】
前記代替会員カードは、非接触短距離通信用のＩＣカードである
ことを特徴とする請求項１に記載の代替会員カード認証システム。
【請求項３】
前記代替会員カードは、Ｆｅｌｉｃａ（登録商標）の規格に準じたＩＣカードであって、前記ＩＤ情報は、Ｉｄｍ（Identifier manufacturing）である
ことを特徴とする請求項１に記載の代替会員カード認証システム。
【請求項４】
前記投票端末は、システムコードをポーリングして、前記正規会員カードと代替会員カードを識別する
ことを特徴とする請求項１に記載の代替会員カード認証システム。
【請求項５】
会員カードに基づき投票する投票端末と、
前記投票端末と通信して、前記会員カードの会員情報を管理する上位サーバと、
前記上位サーバと通信して、前記会員カードとして正規会員カードを携行していない会員に、代替会員カードを認証する窓口端末とを備え、
前記窓口端末は、前記正規会員カードの代替となるカードからカードのＩＤ情報を読取り、読取った前記カードのＩＤ情報及び該会員の会員情報を前記上位サーバに送信して、前記カードを前記代替会員カードとして認証し、
前記上位サーバは、前記窓口端末から送信された前記カードのＩＤ情報と前記会員情報に基づき、代替会員カードを利用する一時会員の会員情報を作成して登録する
ことを特徴とするトータリゼータシステム。
【請求項６】
前記代替会員カードは、Ｆｅｌｉｃａ（登録商標）の規格に準じたＩＣカードであって、前記ＩＤ情報は、Ｉｄｍ（Identifier manufacturing）である
ことを特徴とする請求項５に記載のトータリゼータシステム。
【請求項７】
前記投票端末は、前記代替会員カードが使用された場合には、読取った前記代替会員カードのＩＤ情報と、入力された会員の認証情報を上位サーバに送信し、
前記上位サーバは、前記投票端末から送信された代替会員カードのＩＤ情報と会員の認証情報を前記登録された一時会員の会員情報と照合して、照合結果を前記投票端末に送信し、
前記投票端末は、前記上位サーバから照合成立の結果を受信した場合には、投票を受け付ける
ことを特徴とする請求項５に記載のトータリゼータシステム。
【請求項８】
会員カードに基づきチケットを発券する発券端末と、
前記発券端末と通信して、前記会員カードの会員情報を管理する上位サーバと、
前記上位サーバと通信して、前記会員カードとして正規会員カードを携行していない会員に、代替会員カードを認証する窓口端末とを備え、
前記窓口端末は、前記正規会員カードの代替となるカードからカードのＩＤ情報を読取り、読取った前記カードのＩＤ情報及び該会員の会員情報を前記上位サーバに送信して、前記カードを前記代替会員カードとして認証し、
前記上位サーバは、前記窓口端末から送信された前記カードのＩＤ情報と前記会員情報に基づき、代替会員カードを利用する一時会員の会員情報を作成して登録する
ことを特徴とする代替会員カード認証システム。
【請求項９】
前記発券端末は、前記代替会員カードが使用された場合には、読取った前記代替会員カードのＩＤ情報と、入力された会員の認証情報を上位サーバに送信し、
前記上位サーバは、前記発券端末から送信された代替会員カードのＩＤ情報と会員の認証情報を前記登録された一時会員の会員情報と照合して、照合結果を前記発券端末に送信し、
前記発券端末は、前記上位サーバから照合成立の結果を受信した場合には、発券を受け付ける
ことを特徴とする請求項８に記載の代替会員カード認証システム。
【請求項１０】
会員カードを読取り投票する投票端末と、前記投票端末と通信して会員カードの会員情報を管理する上位サーバと、前記上位サーバと通信して会員カードを発行する窓口端末と、を有するトータリゼータシステムにおける代替会員カード認証方法において、
前記窓口端末は、前記会員カードとして正規会員カードを携行していない会員から代替会員カードの認証を要請された場合に、前記正規会員カードの代替となるカードからカードのＩＤ情報を読取り、読取った前記カードのＩＤ情報と該会員の会員情報とを前記上位サーバに送信して、前記カードを前記代替会員カードとして認証し、
前記上位サーバは、前記窓口端末から送信された前記カードのＩＤ情報と前記会員情報に基づき、代替会員カードを利用する一時会員の会員情報を作成して登録し、
前記投票端末は、前記代替会員カードが使用された場合には、読取った前記代替会員カードのＩＤ情報と、入力された会員の認証情報を上位サーバに送信し、
前記上位サーバは、送信された代替会員カードのＩＤ情報と会員の認証情報を前記登録された一時会員の会員情報と照合して、照合結果を前記投票端末に送信する
ことを特徴とする代替会員カード認証方法。
【請求項１１】
会員カードに基づき投票する投票端末と通信して、前記会員カードの会員情報を管理する上位サーバと、前記上位サーバと通信して、前記会員カードとして正規会員カードを携行していない会員に、代替会員カードを認証する窓口端末と、を有するトータリゼータシステムにおける代替会員カード認証方法において、
前記窓口端末は、前記正規会員カードの代替となるカードからカードのＩＤ情報を読取り、読取った前記カードのＩＤ情報及び該会員の会員情報を前記上位サーバに送信して、前記カードを前記代替会員カードとして認証し、
前記上位サーバは、前記窓口端末から送信された前記カードのＩＤ情報と前記会員情報に基づき、代替会員カードを利用する一時会員の会員情報を作成して登録する
ことを特徴とする代替会員カード認証方法。
【請求項１２】
一時会員用の会員カードを認証する代替会員カード認証方法において、
ＩＣカードからカードのＩＤ情報を読取るステップと、
読取った前記ＩＣカードのＩＤ情報と会員の個人情報とを登録するステップと、
前記ＩＣカードを一時会員用の会員カードとして認証するステップと、を有する
ことを特徴とする代替会員カード認証方法。
【発明の詳細な説明】
【技術分野】
【０００１】
本発明は、会員カードに代替する代替会員カードの認証システムに関する。
【背景技術】
【０００２】
競馬、競輪、競艇、オートレース等の公営競技では、投票者は、競技場内外に設置された投票端末（トータリゼータ端末）を用いて投票することができる。そして、最近は、磁気カードやＩＣカードなどの電子キャッシュカードを利用できるようにした端末装置（キャッシュレス端末とも呼ばれる）も普及している（たとえば、特許文献１参照）。キャッシュレス端末には、ＩＣカードリーダ、マークカードを読み取るマークカードリーダ、入金機、投票内容を印字したレシートを排出するプリンタ等が備えられる。キャッシュレス投票システムでは、特定公営競技の会員カードがＩＣカードになっていて、そのＩＣカードに特定公営競技場で使える金額を入金し、その入金残高の範囲内で投票できる。そして、投票した内容は、キャッシュレス端末のレシートプリンタにて印字され、排出される。
【先行技術文献】
【特許文献】
【０００３】
【特許文献１】特開２０１３−６５１９４号公報
【発明の概要】
【発明が解決しようとする課題】
【０００４】
キャッシュレス端末で投票するためには、会員カードが必要である。すなわち、現状のシステムでは、ファンが会員カードを忘れた場合には、折角競技場の足を運んでもキャッシュレスでの投票をすることができない。そのために、会員カードを忘れたファンのために、会場でＩＣカードを貸し出す方法も考えられるが、貸出用のＩＣカードを準備・管理し、使用後の回収する作業が必要になり、コストがかさむ。従って、ＩＣカードの貸し出しは、現実的に運用が困難である。また、公営競技においては、会場内のキャッシュレス端末で投票（購入）できるシステムは、公営競技以外でも、例えばアミューズメントパーク等においては、キャッシュレスにてチケットを購入できるシステムとして運用できる。このようなキャッシュレス端末で投票や各種チケットの購入ができるシステムでは、会員カードを忘れてしまった顧客を簡単に救済できる対策を備えることが望まれる。
【０００５】
本願発明は、上記課題に鑑み、会員カードを忘れた顧客に対して代替の会員カードの認証を行う代替会員カード認証システムを提供することを目的とする。
【課題を解決するための手段】
【０００６】
上記目的を達成するために、会員カードを読取り投票する投票端末と、前記投票端末と通信して会員カードの会員情報を管理する上位サーバと、前記上位サーバと通信して会員カードを発行する窓口端末と、を有する代替会員カード認証システムにおいて、前記窓口端末は、前記会員カードとして正規会員カードを携行していない会員から代替会員カードの認証を要請された場合に、前記正規会員カードの代替となるカードからカードのＩＤ情報を読取り、読取った前記カードのＩＤ情報及び該会員の会員情報を前記上位サーバに送信して、前記カードを前記代替会員カードとして認証し、前記上位サーバは、前記窓口端末から送信された前記カードのＩＤ情報と前記会員情報に基づき、前記代替会員カードを利用する一時会員の会員情報を作成して登録し、前記投票端末は、前記代替会員カードから読取った前記代替会員カードのＩＤ情報と、入力された会員の認証情報を上位サーバに送信し、前記上位サーバは、前記投票端末から送信された代替会員カードのＩＤ情報と会員の認証情報を前記登録された一時会員の会員情報と照合して、照合結果を前記投票端末に送信し、前記投票端末は、前記上位サーバから照合成立の結果を受信した場合には、投票を受け付ける。
【発明の効果】
【０００７】
本発明によれば、会員カードを忘れた顧客に対して代替の会員カードの認証を行う代替会員カード認証システムを提供することができる。
【図面の簡単な説明】
【０００８】
【図１】本実施形態のトータリゼータシステムの全体図である。
【図２Ａ】投票端末の機能ブロック図である。
【図２Ｂ】投票端末の主制御部のハードウェアブロック図である。
【図３Ａ】上位サーバの機能ブロック図である。
【図３Ｂ】上位サーバの主制御部のハードウェアブロック図である。
【図４Ａ】窓口端末の機能ブロック図である。
【図４Ｂ】窓口端末の主制御部のハードウェアブロック図である。
【図５】正規会員カードの発行手順を説明するシーケンス図である。
【図６】代替会員カードの認証手順を説明するシーケンス図である。
【図７】会員カードの照合の手順を説明するフローチャートである。
【図８】正規会員カードの照合の手順を説明するサブルーチンである。
【図９】代替会員カードの照合の手順を説明するサブルーチンである。
【図１０】会員情報等の構成を示す図である。
【発明を実施するための形態】
【０００９】
以下、図面に従って本発明の実施形態を説明する。なお、本実施形態の代替会員カード認証システムの適用例として、トータリゼータやアミューズメントパーク等があるが、以下では、トータリゼータを例にする。
【００１０】
図１は、本実施形態のトータリゼータシステム１の全体図である。トータリゼータシステム１は、公営競技において、投票と払戻に関する業務をコンピュータで処理するシステムである。公営競技とは、競馬、競輪、競艇、又はオートレース等である。
【００１１】
トータリゼータシステム１は、投票端末１０、上位サーバ２０、窓口端末３０及び投票サーバ４０を有する。複数の投票端末１０と上位サーバ２０と投票サーバ４０は、構内ネットワークを介して互いに接続される。なお、以下では投票端末１０として、会員専用のＩＣカードで投票できる投票端末（キャッシュレス端末とも呼ばれる）を例にする。
【００１２】
投票端末１０は、会員から提示されたＩＣカードを読取り、上位サーバ２０及び投票サーバ４０と通信して、公営競技の投票をしたり、投票の払戻を行う。詳細は、図２Ａ、図２Ｂで説明する。
【００１３】
上位サーバ２０は、会員情報を管理し、投票端末１０と通信して会員情報の照合を行い、カードの使用の可否を判断する。詳細は、図３Ａ、図３Ｂで説明する。なお、以下では、会員を、正規会員と一時会員とに分けて呼ぶ。正規会員とは、事前に会員登録をした者である。そして、正規会員ではあるが、当日に会員カードを忘れた会員のために、代りの会員カード（代替会員カードと呼ぶ）が認証された会員を、一時会員と呼ぶ。また、通常の会員カードを正規会員カードと呼び、代替会員カードと区別する。
【００１４】
窓口端末３０は、会員カードの発行用の端末である。窓口端末３０は、オペレータにより操作される。オペレータは、ファンの依頼に基づいて、通常の会員（正規会員）の発行手続きあるいは代替会員カードの認証の手続きを行う。窓口端末３０は、入力された発行あるいは認証依頼の情報を、上位サーバ２０に送信する。詳細は、図４Ａ、図４Ｂで説明する。
【００１５】
投票サーバ４０は、投票の受付、オッズの表示と集計、配当金の計算、投票の払戻等を管理する。投票サーバ４０は、投票端末１０からの投票情報を受信して管理する。
【００１６】
図２Ａは、投票端末１０の機能ブロック図である。投票端末１０は、主制御部１００、ＩＣカード読取部１１０、投票カード読取部１２０、レシートプリンタ１３０、ＬＣＤ／タッチパネル１４０、通信部１５０及び電源１６０等を有する。
【００１７】
主制御部１００は、投票端末１０全体を統括的に制御する。ＩＣカード読取部１１０は、会員カードであるＩＣカードの読取りを行う。投票カード読取部１２０は、投票カードに記入された場名、レース番号、式別、金額など、投票に必要な情報を読み取る。レシートプリンタ１３０は、投票内容を印刷し、出力する。ＬＣＤ／タッチパネル１４０は、投票の案内、購入画面の表示を行い、入力操作を受け付ける。
【００１８】
通信部１５０は、構内ネットワークを介して上位サーバ２０や投票サーバ４０とデータの送受信を行う。電源１６０は、ＡＣ／ＤＣコンバータを備え、所定の電圧に変換したＤＣ電源を主制御部１００やＩＣカード読取部１１０の各部に供給する。
【００１９】
図２Ｂは、投票端末１０の主制御部１００のハードウェアブロック図である。主制御部１００は、ＣＰＵ１８０、ＲＡＭ１８２、ＲＯＭ１８４、入出力ＩＦ（Interface）１８６、バス１８８により実現される。
【００２０】
ＣＰＵ１８０は、ＲＯＭ１８４に記憶されたプログラムを読込み、読込んだプログラムに従って、投票端末１０の制御処理を実行する。
【００２１】
ＲＡＭ１８２は、プログラムやデータを一時的に記憶する記憶部であって、ワークエリアを提供する。ＲＡＭ１８２は、例えば、ＤＲＡＭ（Dynamic Random Access Memory）である。ＲＯＭ１８４は、制御プログラムやテーブルを保存する不揮発性の記憶部である。ＲＯＭ１８４は、例えば、フラッシュメモリである。
【００２２】
入出力ＩＦ１８６は、ＩＣカード読取部１１０、投票カード読取部１２０、レシートプリンタ１３０、ＬＣＤ／タッチパネル１４０等が接続され、ＣＰＵ１８０からの指示に基づき接続された各部を制御する。ＣＰＵ１８０、ＲＡＭ１８２、ＲＯＭ１８４及び入出力ＩＦ１８６は、バス１８８によって接続される。
【００２３】
図３Ａは、上位サーバ２０の機能ブロック図である。上位サーバ２０は、主制御部２００、正規会員ＤＢ（Data Base）２１０、一時会員ＤＢ（Data Base）２１２及び通信部２５０を有する。
【００２４】
主制御部２００は、上位サーバ２０全体を統括的に制御して、会員カードの認証や管理等の各処理を実行する。具体的には、主制御部２００は、会員の個人情報、投票情報、口座情報、入金情報などを管理する。そして、主制御部２００は、窓口端末３０と通信して会員の登録を行い、投票端末１０と通信して会員カードの認証を行う。
【００２５】
正規会員ＤＢ２１０は、登録された正規会員の情報を保存する。一時会員ＤＢ２１２は、代替の会員カード認証時に一時会員として登録された正規会員の情報を保存する。通信部２５０は、構内ネットワークを介して投票端末１０や窓口端末３０とデータの送受信を行う。
【００２６】
主制御部２００は、窓口端末３０と通信して、ファンの正規会員ＤＢ２１０への登録や正規会員の一時会員ＤＢ２１２への登録を行う。
【００２７】
また、主制御部２００は、投票端末１０で読取られたＩＣカードの種類に応じて、ＩＣカード利用の可否を判断する。
【００２８】
すなわち、主制御部２００は、使用されたＩＣカードが正規会員カードである場合には、投票端末１０から送信された正規会員カードの会員番号及び会員の認証情報（暗証番号）を登録された正規会員の会員情報と照合して、投票端末１０で読取られたカードの使用の可否を判断する。主制御部２００は、正規会員ＤＢ２１０を参照して、登録された正規会員の会員情報を読み出す。主制御部２００は、照合結果を前記投票端末に送信する。
【００２９】
また、主制御部２００は、使用されたＩＣカードが代替会員カードである場合には、投票端末１０から送信された代替会員カードのＩＤ情報及び会員の認証情報（暗証番号）を登録された一時会員の会員情報と照合して、カード使用の可否を判断する。主制御部２００は、一時会員ＤＢ２１２を参照して、登録された一時会員の会員情報を読み出す。主制御部２００は、照合結果を前記投票端末に送信する。
【００３０】
図３Ｂは、上位サーバ２０の主制御部２００のハードウェアブロック図である。主制御部２００は、ＣＰＵ２８０、ＲＡＭ２８２、ＲＯＭ２８４、入出力ＩＦ（Interface）２８６、バス２８８等により実現される。
【００３１】
ＣＰＵ２８０は、ＲＯＭ２８４に記憶されたプログラムを読込み、読込んだプログラムに従って、上位サーバ２０の制御処理を実行する。
【００３２】
ＲＡＭ２８２、ＲＯＭ２８４及びバス２８８は、ＲＡＭ１８２、ＲＯＭ１８４及びバス１８８と同一機能であるので、説明は省略する。入出力ＩＦ２８６は、記憶装置２９０が接続され、ＣＰＵ２８０からの指示に基づき接続された記憶装置２９０を制御する。記憶装置２９０には、正規会員ＤＢ２１０と一時会員ＤＢ２１２が格納される。記憶装置２９０は、例えば、ＨＤＤ（Hard Disk Drive）である。
【００３３】
図４Ａは、窓口端末３０の機能ブロック図である。窓口端末３０は、主制御部３００、ＩＣカードリーダ３１０、ＬＣＤ／タッチパネル３４０及び通信部３５０を有する。主制御部３００は、窓口端末３０全体を統括的に制御する。主制御部３００は、正規会員の登録及び正規会員カードの発行依頼、及び一時会員の登録や対応する代替会員カードの認証依頼を上位サーバ２０に行う。会員登録や会員カードの発行や認証については、図５、図６で詳述する。
【００３４】
ＩＣカードリーダ３１０は、ＩＣカードを読取り、読取った情報を主制御部３００に通知する。ＬＣＤ／タッチパネル３４０は、会員登録の案内、会員登録の手順の表示を行い、会員情報の入力操作を受け付ける。通信部３５０は、構内ネットワークを介して上位サーバ２０とデータの送受信を行う。
【００３５】
図４Ｂは、窓口端末３０の主制御部３００のハードウェアブロック図である。主制御部３００は、ＣＰＵ３８０、ＲＡＭ３８２、ＲＯＭ３８４、入出力ＩＦ（Interface）３８６、バス３８８等により実現される。
【００３６】
ＣＰＵ３８０は、ＲＯＭ３８４に記憶されたプログラムを読込み、読込んだプログラムに従って、窓口端末３０の制御処理を実行する。ＲＡＭ３８２、ＲＯＭ３８４及びバス３８８は、ＲＡＭ１８２、ＲＯＭ１８４及びバス１８８と同一機能であるので、説明は省略する。
【００３７】
入出力ＩＦ３８６は、ＩＣカードリーダ３１０、ＬＣＤ／タッチパネル３４０が接続され、ＣＰＵ３８０からの指示に基づき接続されＩＣカードリーダ３１０、ＬＣＤ／タッチパネル３４０を制御する。
【００３８】
図５は、正規会員カードの発行手順を説明するシーケンス図である。なお、図５で、窓口端末３０に関する処理は主制御部３００により行われ、上位サーバ２０に関する処理は主制御部２００により行われる。
【００３９】
会員登録を希望するファンが、窓口端末３０のオペレータに会員登録を依頼する。ファンは、オペレータに身分証を提示する（Ｔ１０）。身分証は、例えば、自動車運転免許証である。さらに、ファンは、ＬＣＤ／タッチパネル３４０に、認証情報として暗証番号を登録する（Ｔ１２）。
【００４０】
オペレータは、提示された身分証に基づき本人確認を行う。窓口端末３０は、オペレータの操作により、身分証に基づく情報と暗証番号を上位サーバ２０に送信する（Ｔ１４）。
【００４１】
上位サーバ２０は、身分証に基づく情報と暗証番号を受信する。上位サーバ２０は、登録の可否を判断し、登録ＯＫと判断すると、身分証に基づく情報と暗証番号を正規会員の会員情報として正規会員ＤＢ２１０に登録する（Ｔ１６）。図１０は、各種のデータ構成例を示す図である。図１０のＤ１が、正規会員ＤＢ２１０に記憶される正規会員の会員情報の構成例である。正規会員の会員情報は、会員番号、暗証番号と共に、会員の個人情報（住所、氏名等）から構成される。
【００４２】
上位サーバ２０は、登録された会員番号を窓口端末３０に送信する（Ｔ１８）。窓口端末３０は、登録された会員番号や暗証番号をＩＣカードリーダ３１０によりＩＣカードに書き込み、正規会員カードを作成する（Ｔ２０）。オペレータは、作成した正規会員カードをファンに発行する（Ｔ２２）。ファンは、正規会員カードを取得する（Ｔ２４）。
【００４３】
図６は、代替会員カードの認証手順を説明するシーケンス図である。なお図６で、窓口端末３０に関する処理は主制御部３００により行われ、上位サーバ２０に関する処理は主制御部２００により行われる。
【００４４】
正規会員カードを忘れた会員は、窓口端末３０のオペレータに代替会員カードの登録を依頼する。ファンは、オペレータに身分証を提示する（Ｔ５０）。身分証は、例えば、自動車運転免許証である。オペレータは、提示された身分証に基づき本人確認を行う。窓口端末３０は、オペレータの操作により、身分証に基づく情報を上位サーバ２０に送信する（Ｔ５２）。上位サーバ２０は、身分証に基づく情報により、正規会員ＤＢ２１０から対応する会員情報を抽出する（Ｔ５４）。会員情報は、図１０のＤ１で示したような、会員番号、暗証番号及び個人情報である。
【００４５】
また、会員は、自ら所有の汎用のＩＣカードを代替会員カードとして、オペレータに提示する。汎用のＩＣカードとは、例えば、ＳｕｉＣａ（登録商標）等の鉄道系ＩＣカードである。窓口端末３０は、ファンから提示されたＩＣカードのＩＤ情報をＩＣカードリーダ３１０により読取る（Ｔ５８）。ＩＤ情報とは、ＩＣカードの固有情報である。ＩＣカードがＦｅｌｉＣａ（登録商標）タイプである場合には、製造番号を示す情報であるＩｄｍ（Identifier manufacturing）が固有情報である。
【００４６】
窓口端末３０は、読取ったＩＤ情報を上位サーバ２０に送信する（Ｔ６０）。上位サーバ２０は、ＩＤ情報と、Ｔ５４で抽出した会員情報を紐づけする（Ｔ６２）。上位サーバ２０は、ＩＤ情報と会員情報を紐づけした情報を一時会員の会員情報として、一時会員ＤＢ２１２に登録する（Ｔ６４）。一時会員ＤＢ２１２に登録される一時会員の会員情報の構成を、図１０のＤ２に示す。一時会員の会員情報には、正規会員の会員情報（図１０のＤ１）に加えて、代替会員カードとなるＩＣカードの固有情報（Ｉｄｍ）が含まれる。上位サーバ２０は、一時会員登録を承認する電文を窓口端末３０に通知する（Ｔ６６）。
【００４７】
窓口端末３０は、一時会員登録を例えばＬＣＤ／タッチパネル３４０に表示して、会員に通知する（Ｔ６８）。以上で、一時会員登録が完了する（Ｔ７０）。
【００４８】
図７は、投票端末１０における会員カードの照合の手順を説明するフローチャートである。主制御部１００は、ＩＣカード読取部１１０により、ポーリングコマンドとして、システムコード、例えば「ＦＦＦＦｈ」をＩＣカード読取窓（不図示）から定期的に送出する（ステップＳ１０）。システムコードは、システムを識別させるためのコードで、誰が何の目的で発行したカードかを識別するために用いられる。
【００４９】
Ｆｅｌｉｃａのシステムコードは、２ｂｙｔｅである。システムコードＦＦＦＦｈは、Ｆｅｌｉｃａであれば、正規会員カードあるいは代替会員カードのいずれにも対応するシステムコードである。すなわち、正規会員カード及び代替会員カードであれば、システムコードＦＦＦＦｈに対して、レスポンスを送信する。
【００５０】
主制御部１００は、システムコードＦＦＦＦｈに対するレスポンスが有るかを判断する（ステップＳ１２）。ＩＣカード読取部１１０は、レスポンスが有るまで（ステップＳ１２のＮＯ）、システムコードＦＦＦＦｈの送出を継続する。
【００５１】
主制御部１００は、システムコードＦＦＦＦｈに対するレスポンスが有ったと判断すると（ステップＳ１２のＹＥＳ）、更にＩＣカード読取部１１０により、ポーリングコマンドとして、正規会員カードのみに対応するシステムコード、例えば「ＸＸＸＸｈ」を送出する（ステップＳ１４）。
【００５２】
主制御部１００は、ポーリングしたシステムコードＸＸＸＸｈに対するレスポンスが有るかを判断する（ステップＳ１６）。主制御部１００は、システムコードＸＸＸＸｈに対するレスポンスが有ったと判断すると（ステップＳ１６のＹＥＳ）、正規会員カードの照合処理を行う（ステップＳ１８）。
【００５３】
主制御部１００は、システムコードＸＸＸＸｈに対するレスポンスが、一定時間経過しても無いと判断すると（ステップＳ１６のＮＯ）、ＩＣカードが代替会員カードであると推定して、代替会員カードの照合処理を行う（ステップＳ２０）。
【００５４】
図８は、正規会員カードの照合処理の手順を説明するサブルーチンである。主制御部１００は、正規会員カードキーにより認証を行い、正規会員カードから会員番号を読取る（ステップＳ３０）。
【００５５】
主制御部１００は、会員番号の読取ができたかを判断する（ステップＳ３２）。主制御部１００は、会員番号の読取ができないと判断すると（ステップＳ３２のＮＯ）、読取不可であることを、会員にＬＣＤ／タッチパネル１４０に表示あるいは音声でガイダンスする（ステップＳ３４）。そして、主制御部１００は、投票端末１０をアイドル状態に遷移する（ステップＳ４６）。
【００５６】
主制御部１００は、会員番号の読取ができたと判断すると（ステップＳ３２のＹＥＳ）、会員にＬＣＤ／タッチパネル１４０に暗証番号を入力させる（ステップＳ３６）。主制御部１００は、会員番号と暗証番号を正規会員カード照合用の情報として、上位サーバ２０に送信する（ステップＳ３８）。図１０のＤ３は、正規会員カード照合用の情報の構成を示す図である。
【００５７】
上位サーバ２０の主制御部２００は、送信された会員番号及び暗証番号を、正規会員ＤＢ２１０に記憶された会員情報の会員番号及び暗証番号と対比する。主制御部２００は、両者の暗証番号の照合を行い、照合結果を投票端末１０に送信する。
【００５８】
投票端末１０の主制御部１００は、上位サーバ２０による照合がＯＫであるかを判断する（ステップＳ４０）。主制御部１００は、上位サーバ２０による照合がＯＫであると判断すると、投票受付可能状態に移行する（ステップＳ４２）。会員は、投票カード読取部１２０に投票カードを挿入して、投票することができる。
【００５９】
主制御部１００は、上位サーバ２０による照合がＯＫでないと判断すると（ステップＳ４０のＮＯ）、照合ＮＧであることを、会員にＬＣＤ／タッチパネル１４０に表示あるいは音声でガイダンスする（ステップＳ４４）。そして、主制御部１００は、投票端末１０をアイドル状態に遷移する（ステップＳ４６）。
【００６０】
図９は、代替会員カードの照合処理の手順を説明するサブルーチンである。投票端末１０の主制御部１００は、読取った代替会員カードのデータから、ＩＣカードの固有情報であるＩｄｍを取得する（ステップＳ６０）。
【００６１】
主制御部１００は、会員にＬＣＤ／タッチパネル１４０への暗証番号入力を指示して、入力された暗証番号を取得する（ステップＳ６２）。主制御部１００は、Ｉｄｍと入力された暗証番号を、代替会員カード照合用の情報として、上位サーバ２０に送信する（ステップＳ６４）。図１０のＤ４は、代替会員カード照合用の情報の構成を示す図である。
【００６２】
上位サーバ２０の主制御部２００は、送信されたＩｄｍと暗証番号と、一時会員ＤＢ２１２に記憶された会員情報のＩｄｍと暗証番号を照合する。主制御部２００は、照合結果を投票端末１０に送信する。
【００６３】
投票端末１０の主制御部１００は、上位サーバ２０から送信された照合結果により、上位サーバ２０による照合がＯＫであるかを判断する（ステップＳ６６）。主制御部１００は、照合がＯＫであると判断すると（ステップＳ６６のＹＥＳ）、投票受付可能状態に移行する（ステップＳ６８）。会員は、投票カード読取部１２０に投票カードを挿入して、代替会員カードによって、投票することができる。
【００６４】
主制御部１００は、上位サーバ２０による照合がＯＫでないと判断すると（ステップＳ６６のＮＯ）、照合ＮＧであることを、会員にＬＣＤ／タッチパネル１４０に表示あるいは音声でガイダンスする（ステップＳ７０）。そして、主制御部１００は、投票端末１０をアイドル状態に遷移する（ステップＳ７２）。
【００６５】
また、上位サーバ２０の主制御部２００は、一時会員登録後の所定時間経過後あるいは、登録日の翌日に、登録した一時会員情報を一時会員ＤＢ２１２から消去してもよい。代替会員カードは、あくまで臨時のカードであるからである。
【００６６】
<変形例>
・なお、図５のＴ１２や図８のステップＳ３６等で、会員の認証情報として、暗証番号を用いる例を示したが、暗証番号に限らず、手のひらや指、虹彩等の生体情報でもよい。
・また、上記実施形態ではＩＣカードとして、Ｆｅｌｉｃａを例にしたが、Ｆｅｌｉｃａに限るものではない。ＩＤ情報を持つＩＣカードであれば、適用できる。例えば、ＩＳＯ／ＩＥＣ１４４４３ＴｙｐｅＡのＩＣカード（ＭＩＦＡＲＥ（登録商標）と呼ばれる）を用いてもよい。ＩＳＯ／ＩＥＣ１４４４３ＴｙｐｅＡのＩＣカードには、ＵＩＤ（Unique Identifier）というＩＤ情報が設けられる。
・また、前述のように、代替の会員カード認証システムは、トータリゼータシステム以外、例えばアミューズメントパークで、会員カードを忘れた会員への救済にも適用できる。この場合には、図１等の投票端末１０は、チケットを発券する発券端末に置き換わる。発券端末は、ＩＣカードである会員カードをＩＣカード読取部１１０にかざすことで、上位サーバ２０と通信してチケット（乗り物券や食事券）を購入することができる。
・代替会員カードは、一時会員用の会員カードと称してもよい。
・代替カードは、競技の運営者が用意して、正規会員カードを忘れた会員に、安価に販売するようにしてもよい。
【００６７】
<効果>
上記実施形態によれば、以下の効果が奏せられる。
１）ファンが会員カードを自宅等に忘れた場合でもキャッシュレス投票が可能となり、投票機会の損失防止につながる。
２）ほとんどのファンが所有している汎用（鉄道系）のＩＣカードが代替会員カードとして使用することができるので、適用性が高い。
３）競技場の運用者が会員カード忘却者用のＩＣカードを余分に準備する必要がないので、運用コストの低減につながる。
４）汎用ＩＣカードを利用しているが、一定時間後に代替会員カードの登録を抹消することで、一時的な利用に留めている。そのため、汎用ＩＣカードを利用しても、セキュリティレベルを落とすことなく、サービスを提供することができる。
５）一定時間後に代替会員カードの登録を抹消するので、窓口での代替会員カードの消去作業が不要となり、運用負荷の低減につながる。
【００６８】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用ができることはもちろんである。
【符号の説明】
【００６９】
１  トータリゼータシステム
１０    投票端末
２０    上位サーバ
３０    窓口端末
４０    投票サーバ
１００      主制御部
１１０      ＩＣカード読取部
１２０      投票カード読取部
１３０      レシートプリンタ
１４０      ＬＣＤ／タッチパネル
１５０      通信部
１６０      電源
２００      主制御部
２１０      正規会員ＤＢ
２１２      一時会員ＤＢ
２５０      通信部
２９０      記憶装置
３００      主制御部
３１０      ＩＣカードリーダ
３４０      ＬＣＤ／タッチパネル
３５０      通信部
１８０、２８０、３８０  ＣＰＵ
１８２、２８２、３８２  ＲＡＭ
１８４、２８４，３８４  ＲＯＭ
１８６、２８６、３８６  入出力
１８８、２８８、３８８  バス
【図１】
2019114079.tif 000003
【図２Ａ】
2019114079.tif 000004
【図２Ｂ】
2019114079.tif 000005
【図３Ａ】
2019114079.tif 000006
【図３Ｂ】
2019114079.tif 000007
【図４Ａ】
2019114079.tif 000008
【図４Ｂ】
2019114079.tif 000009
【図５】
2019114079.tif 000010
【図６】
2019114079.tif 000011
【図７】
2019114079.tif 000012
【図８】
2019114079.tif 000013
【図９】
2019114079.tif 000014
【図１０】
2019114079.tif 000015